(57)【要約】【課題】  新規な構造を採用することにより、従来のスイッチ装置に比べ、部品点数、組立工数、及びスペースなどを減少させた、車載用のパワーウィンドウスイッチに好適な２段階の操作を可能にするスイッチ装置を提供する。【解決手段】  操作ノブと、操作ノブを揺動可能に支持する支軸と、支軸に略平行な基板と、支軸を含み基板に垂直な面の一方にあり、操作ノブの揺動により操作される第一押しボタンスイッチと、垂直な面の他方にあり、操作ノブの揺動により操作される第二押しボタンスイッチと、垂直な面と交わり、操作ノブの揺動により操作される第三押しボタンスイッチとを備え、第一押しボタンスイッチに作用する力の第一力点は、垂直な面から離隔した一方にあり、第二押しボタンスイッチに作用する力の第二力点は、垂直な面から離隔した他方にあり、第三押しボタンスイッチに作用する力の第三力点は、垂直な面の近傍にあるスイッチ装置。【選択図】  図２
2012195057.tif 000002
【特許請求の範囲】
【請求項１】
操作ノブと、
前記操作ノブを揺動可能に支持する支軸と、
前記支軸に略平行な基板と、
前記支軸を含み前記基板に垂直な面の一方にあり、前記基板上に設けられ、前記操作ノブの揺動により操作される第一押しボタンスイッチと、
前記垂直な面の他方にあり、前記基板上に設けられ、前記操作ノブの揺動により操作される第二押しボタンスイッチと、
前記垂直な面と交わり、前記基板上に設けられ、前記操作ノブの揺動により操作される第三押しボタンスイッチと、
を備え、
前記操作ノブにおける、第一押しボタンスイッチに作用する力の第一力点は、前記垂直な面から離隔した一方にあり、
前記操作ノブにおける、第二押しボタンスイッチに作用する力の第二力点は、前記垂直な面から離隔した他方にあり、
前記操作ノブにおける、第三押しボタンスイッチに作用する力の第三力点は、前記垂直な面の近傍にある、
ことを特徴とするスイッチ装置。
【請求項２】
さらに、前記支軸を備えたケースと、
前記第一力点から第一押しボタンスイッチに力を伝える第一操作棒と、
前記第二力点から第二押しボタンスイッチに力を伝える第二操作棒と、
前記第三力点から第三押しボタンスイッチに力を伝える第三操作棒と、
を備え、
前記基板、前記第一操作棒、前記第二操作棒、及び前記第三操作棒は、前記ケース内に配置され、
前記第一操作棒と前記操作ノブの下面及び前記第二操作棒と前記操作ノブの下面は互いに接し、
前記第三力点となる、前記第三操作棒と前記操作ノブの下面とが接する部分は、前記操作ノブの揺動の傾きが大きくなるに従い、前記支軸から前記接する部分までの距離が短くなる形状を有する、
ことを特徴とする請求項１に記載のスイッチ装置。
【請求項３】
前記第一押しボタンスイッチ及び前記第二押しボタンスイッチを導通又は遮断する前記操作ノブの揺動による傾きの大きさは、前記第三押しボタンスイッチを導通又は遮断する前記操作ノブの揺動による傾きの大きさより、小さいことを特徴とする請求項１又は２に記載のスイッチ装置。
【請求項４】
前記第一押しボタンスイッチは、前記操作ノブが一の方向に傾くことにより導通又は遮断し、第三押しボタンスイッチは、さらに一の方向に傾くことにより導通又は遮断し、
前記第二押しボタンスイッチは、前記操作ノブが他の方向に傾くことにより導通又は遮断し、第三押しボタンスイッチは、さらに他の方向に傾くことにより導通又は遮断する、
ことを特徴とする請求項１乃至３に記載のスイッチ装置。
【請求項５】
操作ノブと、
前記操作ノブを揺動可能に支持する支軸と、
前記支軸に略平行な基板と、
前記支軸を含み前記基板に垂直な面の一方にあり、前記基板上に設けられ、前記操作ノブの揺動により操作される第一押しボタンスイッチと、
前記垂直な面の他方にあり、前記基板上に設けられ、前記操作ノブの揺動により操作される第二押しボタンスイッチと、
前記垂直な面と交わり、前記基板上に設けられ、前記操作ノブの揺動により操作される第三押しボタンスイッチと、
前記垂直な面の一方に設けられ、前記操作ノブの第一の方向への傾倒により前記第一押しボタンスイッチを押圧する、第一操作棒と、
前記垂直な面の他方に設けられ、前記操作ノブの第二の方向への傾倒により前記第二押しボタンスイッチを押圧する、第二操作棒と、
前記垂直な面と交わる位置に設けられ、前記操作ノブの第一または第二の方向への傾倒により前記第三押しボタンスイッチを押圧する、第三操作棒と、
を備えたスイッチ装置。
【発明の詳細な説明】
【技術分野】
【０００１】
本発明は、スイッチ装置に関し、特に、車載用のパワーウィンドウスイッチに好適な２段階の操作を可能にするスイッチ装置に関する。
【背景技術】
【０００２】
従来から、例えば自動車等の車両のウィンドウを開閉するため、操作性、信頼性などに対する要求からラバースイッチ（押しボタンスイッチ）を複数備え、２段階の操作を可能にするスイッチが知られている。
【０００３】
例えば、特許文献１では、シーソースイッチの支軸を挟んで２つずつ、合計４つのプッシュスイッチを備え、片方の２つのボタンスイッチを作動ストロークが異なる押圧体で操作することにより、２段階の操作を可能にするシーソースイッチ（ラバースイッチ）が開示されている。
このようなシーソースイッチにおいては、操作ノブの一方向の傾倒につき押しボタンスイッチは２つ必要となる。他方向の傾倒のための押しボタンも２つ必要で、合計４つ必要となる。それと別に、操作ノブから力を伝える操作棒が５本必要となる。４つのスイッチのそれぞれに操作棒を必要とし、さらに、操作感触を出すための操作棒が必要だからである。したがって、部品点数が多い。
【０００４】
また、特許文献２では、支軸を中心として揺動可能に支持された操作ノブと、この操作ノブからの押圧力によって傾倒される一対の作動板と、これら作動板の下方に１組ずつ配置され、この作動板の傾倒角度に応じて作動される２個１組のプッシュスイッチとを備えることにより、２段階の操作を可能にするシーソースイッチが開示されている。
【０００５】
また、特許文献３では、揺動可能な操作ノブと、操作ノブに押圧駆動される平面視略くの字形の作動板と、作動板の両端部を支持する２つのプッシュスイッチと、作動板の屈曲部（中央部）を支持する１つのプッシュスイッチ、合計３つのプッシュスイッチを備えたシーソースイッチが開示されている。操作ノブから延伸する駆動部を、作動板のうち中央部のプッシュスイッチよりも両端部のプッシュスイッチに近い部分に当接させることにより、作動板は、駆動部の下降量に応じて両端部の一方のプッシュスイッチ、中央部のプッシュスイッチを順次作動させる。また、それと共に、駆動部の下降量に応じて両端部の他方のプッシュスイッチ、中央部のプッシュスイッチを順次作動させることにより、２段階の操作を可能としている。
このシーソースイッチは、押しボタンスイッチが３つ使用されている。さらに、操作ノブが押しボタンスイッチを作動させるための作動板が、使用されている。また、このシーソースイッチで２段階操作を実現するためには、スイッチ間にある程度距離をおくことが必要であり、本文献では作動板をくの字にしているが、構造が大きくなる。
【０００６】
また、特許文献４では、一つのスイッチ操作ノブの操作で、ディスプレイ画面に表示される複数の表示画面の切り換え選択と、選択された表示に対応する機能決定の双方を行なうモニタスイッチが開示されている。このモニタスイッチは、変位可能に保持されているスライダと、このスライダのハウジング外側端部で回動可動に軸支されている操作ノブ（シーソ型ノブ）と、この操作ノブの回動変位に連動する一対のプッシュロッドと、上記スライダのハウジング内側端部に接近配置されているストロークスイッチと、上記一対のプッシュロッドのハウジング内側端部に接近配置されているそれぞれのラバースイッチと、を有しており、上記スライダの動作を受けて開閉するストロークスイッチの動作ストロークは、上記プッシュロッドの動作を受けて開閉するラバースイッチのストロークよりも小となるように設定されているモニタスイッチである。このモニタスイッチは、２段階の操作を可能にするスイッチではないが、合計３つのプッシュスイッチを使用している点において、特許文献３のスイッチに類似する。
【０００７】
また、特許文献４に開示されたモニタスイッチは、全体として必要となる押しボタンスイッチの数は３つであるが、そもそも２段階の操作を可能とするものではない。即ち、中央の押しボタンスイッチは、操作ノブの中央部の押し込みにより機能し、両端の押しボタンスイッチは、スライダの動作を受けて機能するものであり、中央の押しボタンスイッチと両端の押しボタンスイッチの連動性はない。
【先行技術文献】
【特許文献】
【０００８】
【特許文献１】特開平３−２３６１２４号公報
【特許文献２】特開平８−１１１１４２号公報
【特許文献３】特開２００４−１３９９４５号公報
【特許文献４】特開平１０−２９４０４１号公報
【発明の概要】
【発明が解決しようとする課題】
【０００９】
本発明の目的とするところは、新規な構造を採用することにより、スイッチの２段階操作を可能にしつつ、部品点数及び必要な空間を減少させたスイッチ装置を提供することである。
【課題を解決するための手段】
【００１０】
上記課題を解決するために、操作ノブと、その操作ノブを揺動可能に支持する支軸と、その支軸に略平行な基板と、その支軸を含み基板に垂直な面の一方にあり、その基板上に設けられ、その操作ノブの揺動により操作される第一押しボタンスイッチと、垂直な面の他方にあり、基板上に設けられ、操作ノブの揺動により操作される第二押しボタンスイッチと、垂直な面と交わり、基板上に設けられ、操作ノブの揺動により操作される第三押しボタンスイッチと、を備え、操作ノブにおける、第一押しボタンスイッチに作用する力の第一力点は、垂直な面から離隔した一方にあり、操作ノブにおける、第二押しボタンスイッチに作用する力の第二力点は、垂直な面から離隔した他方にあり、操作ノブにおける、第三押しボタンスイッチに作用する力の第三力点は、垂直な面の近傍にある、ことを特徴とするスイッチ装置が提供される。
これによれば、部品点数、組立工数、及びスペースなどを減少させた、２段階の操作を可能な車載用のパワーウィンドウスイッチを提供できる。
【００１１】
さらに、その支軸を備えたケースと、第一力点から第一押しボタンスイッチに力を伝える第一操作棒と、第二力点から第二押しボタンスイッチに力を伝える第二操作棒と、第三力点から第三押しボタンスイッチに力を伝える第三操作棒と、を備え、基板、第一操作棒、第二操作棒、及び第三操作棒は、ケース内に配置され、第一操作棒と操作ノブの下面及び第二操作棒と操作ノブの下面は互いに接し、第三力点となる、第三操作棒と操作ノブの下面とが接する部分は、操作ノブの揺動の傾きが大きくなるに従い、支軸からその接する部分までの距離が短くなる形状を有することを特徴としてもよい。
【００１２】
さらに、第一押しボタンスイッチ及び第二押しボタンスイッチを導通又は遮断する操作ノブの揺動による傾きの大きさは、第三押しボタンスイッチを導通又は遮断する操作ノブの揺動による傾きの大きさより、小さいことを特徴としてもよい。
【００１３】
さらに、第一押しボタンスイッチは、操作ノブが一の方向に傾くことにより導通又は遮断し、第三押しボタンスイッチは、さらに一の方向に傾くことにより導通又は遮断し、第二押しボタンスイッチは、操作ノブが他の方向に傾くことにより導通又は遮断し、第三押しボタンスイッチは、さらに他の方向に傾くことにより導通又は遮断することを特徴としてもよい。
【００１４】
また、上記課題を解決するために、操作ノブと、その操作ノブを揺動可能に支持する支軸と、その支軸に略平行な基板と、その支軸を含みその基板に垂直な面の一方にあり、その基板上に設けられ、その操作ノブの揺動により操作される第一押しボタンスイッチと、その垂直な面の他方にあり、その基板上に設けられ、その操作ノブの揺動により操作される第二押しボタンスイッチと、その垂直な面と交わり、その基板上に設けられ、その操作ノブの揺動により操作される第三押しボタンスイッチと、その垂直な面の一方に設けられ、その操作ノブの第一の方向への傾倒によりその第一押しボタンスイッチを押圧する、第一操作棒と、その垂直な面の他方に設けられ、その操作ノブの第二の方向への傾倒によりその第二押しボタンスイッチを押圧する、第二操作棒と、その垂直な面と交わる位置に設けられ、操作ノブの第一または第二の方向への傾倒によりその第三押しボタンスイッチを押圧する、第三操作棒と、を備えたスイッチ装置が提供される。
【発明の効果】
【００１５】
以上説明したように、本発明によれば、従来のスイッチ装置に比べ、部品点数、組立工数、及びスペースなどを減少させた、車載用のパワーウィンドウスイッチに好適な２段階の操作を可能にするスイッチ装置を提供できる。
【図面の簡単な説明】
【００１６】
【図１】本発明に係る第一実施例のスイッチ装置を示す、（Ａ）上面図、（Ｂ）側面図、（Ｃ）正面図、（Ｄ）背面図。
【図２】本発明に係る第一実施例のスイッチ装置を示す、（Ａ）Ａ−Ａにおける断面図、（Ｂ）Ｂ−Ｂにおける断面図、（Ｃ）Ｃ−Ｃにおける断面図、（Ｄ）Ｄ−Ｄにおける断面図。
【図３】本発明に係る第一実施例において操作ノブが取り付けられていない状態のスイッチ装置を示す、（Ａ）上面図、（Ｂ）側面図。
【図４】本発明に係る第一実施例における操作ノブを示す、（Ａ）底面図、（Ｂ）斜視図。
【図５】本発明に係る第一実施例におけるスイッチ装置の動作説明図（断面図）。（Ａ）マニュアルアップ、（Ｂ）オートアップ、（Ｃ）マニュアルダウン、（Ｄ）オートダウン。
【図６】本発明に係る第一実施例のスイッチ装置を示す斜視図。（Ａ）は全体を示す図、（Ｂ）は操作ノブを取り除いた状態を示す図、（Ｃ）はケースの側面を取り除いた状態を示す図、（Ｄ）は操作棒を取り除いた状態を示す図である。
【図７】本発明に係る第二実施例におけるスイッチ装置の動作を示す動作説明図。（Ａ）は中立状態を示す図、（Ｂ）は１段階目が導通する状態を示す図、（Ｃ）は２段階目が導通する状態を示す図、（Ｄ）は操作棒と操作ノブの下面とが接する部分の拡大図。
【発明を実施するための形態】
【００１７】
以下では、図面を参照しながら、本発明に係る各実施例について説明する。
（第一実施例）
図１は、本発明に係る第一実施例におけるスイッチ装置１を示す。スイッチ装置１は、車両の利用者がパワーウィンドウを操作する際に使用する操作ノブ１０と、操作ノブ１０を揺動できるように支持する支軸２０と、支軸２０を備えたケース５０と、支軸２０におよそ平行であって回路が形成された基盤３０とを有している。なお、およそ平行とは、厳密な平行を意味するものではなく、通常本技術分野で大体の平行として許容できる範囲の平行を言う。操作ノブ１０は、車両の利用者が操作しやすいように、正面側（車両の進行方向側）に指がかかりやすい湾曲を形成する。操作ノブ１０は、側面視（Ｂ）で左右に揺動するように、支軸２０に支持される。
【００１８】
例えば、利用者が、操作ノブ１０を、側面視（Ｂ）で右側（車両の進行方向側）に傾倒するように押し込むと、操作ノブ１０は、支軸２０を中心に回転することにより右側に傾倒し、それと共に内部の第一操作棒６１を押し下げる。また、逆に、利用者が、操作ノブ１０を、側面視（Ｂ）で左側（車両の進行方向と反対側）に傾倒するように押し込むと、操作ノブ１０は、支軸２０を中心に回転することにより左側に傾倒し、それと共に内部の第二操作棒６２を押し下げる。
このように、スイッチ装置１は、操作ノブ１０の側面視（Ｂ）の左右の揺動により、操作棒を操作し、さらには後述のように、押しボタンスイッチを操作する。
【００１９】
操作ノブ１０は、車両の利用者が操作するためにケース５０から露出するが、基板３０、操作棒（６１、６２）などは、ケース５０の中に収められる。図２の断面図を参照し、ケース５０の内部の構造をより詳細に説明する。図２（Ａ）は、図１（Ａ）に示された断面線Ａ−Ａにおける断面図、図２（Ｂ）は、図１（Ａ）に示された断面線Ｂ−Ｂにおける断面図、図２（Ｃ）は、図１（Ａ）に示された断面線Ｃ−Ｃにおける断面図、図２（Ｄ）は、図１（Ａ）に示された断面線Ｄ−Ｄにおける断面図である。なお、図２（Ａ）には、本来は見えない支軸２０と、支軸２０を含み基板３０に垂直な仮想的な面Ｓを、説明のために示している。
【００２０】
スイッチ装置１は、支軸２０を挟んで基板３０上に設置された第一押しボタンスイッチ４１と第二押しボタンスイッチ４２を有し、さらに、第一押しボタンスイッチ４１と第二押しボタンスイッチ４２との間の中央部付近の基板３０上に第三押しボタンスイッチ４３を有する。換言すると、第一押しボタンスイッチ４１は、面Ｓの一方側（車両の進行方向側）に位置し、第二押しボタンスイッチ４２は、面Ｓの他方側（車両の進行方向と反対側）に位置し、第三押しボタンスイッチ４３は、面Ｓと交わり、第一押しボタンスイッチ４１と第二押しボタンスイッチ４２の位置に比べ支軸２０に最も近いところに位置する。
【００２１】
また、スイッチ装置１は、操作ノブ１０の下面に当接し、操作ノブ１０の右側（車両の進行方向側）への傾倒の変量を第一押しボタンスイッチ４１に伝達するための第一操作棒６１と、操作ノブ１０の下面に当接し、操作ノブ１０の左側（車両の進行方向の反対側）への傾倒の変量を第二押しボタンスイッチ４２に伝達するための第二操作棒６２をケース５０内に有する。さらに、スイッチ装置１は、操作ノブ１０の下面に当接し、操作ノブ１０の右側（車両の進行方向側）と左側（車両の進行方向の反対側）への傾倒の変量を第三押しボタンスイッチ４３に伝達するための第三操作棒６３をケース５０内に有する。
【００２２】
換言すれば、操作ノブ１０は、右側の傾倒に伴い第一押しボタンスイッチ４１を押し下げるための第一力点Ｐ１を、操作ノブ１０の下面であって、面Ｓから離隔した一方側（車両の進行方向側）に設ける。また、左側の傾倒に伴い第二押しボタンスイッチ４２を押し下げるための第二力点Ｐ２を、操作ノブ１０の下面であって、面Ｓから離隔した他方側（車両の進行方向の反対側）に設ける。さらに、スイッチ装置１は、右左両側の傾倒に伴い第三押しボタンスイッチ４３を押し下げるための第三力点Ｐ３を、操作ノブ１０の下面であって、面Ｓの近傍に設ける。
【００２３】
スイッチ装置１は、操作ノブ１０の第一力点Ｐ１から第一押しボタンスイッチ４１に、操作ノブ１０の第二力点Ｐ２から第二押しボタンスイッチ４２に、操作ノブ１０の第三力点Ｐ３から第三押しボタンスイッチ４３に、それぞれ力を伝え、操作ノブ１０の傾倒の変量を以って各押しボタンスイッチを操作する、第一操作棒６１、第二操作棒６２、及び第三操作棒６３を有する。
【００２４】
本実施例では、第一操作棒６１は操作ノブ１０とＰ１で、また、第二操作棒６２は操作ノブ１０とＰ２で、基板３０からの高さがほぼ同じ高さで当接し、その結果、第一操作棒６１と第二操作棒６２はほぼ同じ長さを有している。但し、これに限定されず、Ｐ１とＰ２の基板３０からの高さは異なっていてもよいし、第一操作棒６１と第二操作棒６２の長さは異なっていてもよい。
【００２５】
また、第三操作棒６３と操作ノブ１０が当接する点である第三力点Ｐ３の基板３０からの高さは、第一力点Ｐ１や第二力点Ｐ２より高い位置にあり、第三操作棒６３の長さは、第一操作棒６１や第二操作棒６２の長さよりも長い。但し、同様に、これに限定されず、第三力点Ｐ３の位置は、第一力点Ｐ１や第二力点Ｐ２と同じ高さにあってもよいし低くてもよく、第三操作棒６３は、第一操作棒６１や第二操作棒６２と同じ程度の長さであってもよいし、短くてもよい。
また、第三力点Ｐ３の位置は、支軸２０よりも高い位置にあるが、これに限定されず、支軸２０より低い位置にあってもよい。
【００２６】
第三力点Ｐ３となる、操作ノブ１０の下面の第三操作棒６３と接する部分の形状は、側面視（図２（Ａ））において、支軸２０から第三力点Ｐ３までの距離が、面Ｓに近いほど長く、面Ｓから離れるに従い短くなる形状である。即ち、第三操作棒６３と接する部分の形状は、操作ノブ１０の揺動の傾きが大きくなるに従い、支軸２０から接する部分までの距離が短くなる形状である。接する部分がこのような形状を備えることで、操作ノブ１０の左右の揺動の傾きにより、この接する部分が第三操作棒６３を下に押し下げることとなる。その結果、第三操作棒６３は、第三押しボタンスイッチ４３の導通・遮断を操作できる。
【００２７】
本実施例では、第三操作棒６３と接する部分の形状は、面Ｓを挟み対称形をなすが、これに限定されず、非対称形であっても、第三押しボタンスイッチ４３と、第一押しボタンスイッチ４１又は第二押しボタンスイッチ４２とが、２段階に機能すればよい。
【００２８】
第三押しボタンスイッチ４３と第一押しボタンスイッチ４１、又は、第三押しボタンスイッチ４３と第二押しボタンスイッチ４２が、２段階に機能するためには、第一押しボタンスイッチ４１と第二押しボタンスイッチ４２を導通又は遮断する操作ノブ１０の揺動による傾きの大きさは、第三押しボタンスイッチ４３を導通又は遮断する操作ノブ１０の揺動による傾きの大きさより小さい、又は、大きいとよい。即ち、第一押しボタンスイッチ４１と第二押しボタンスイッチ４２を導通又は遮断する操作ノブ１０の揺動による傾きの大きさと、第三押しボタンスイッチ４３を導通又は遮断する操作ノブ１０の揺動による傾きの大きさが等しくなければ、２段階で機能することとなる。
【００２９】
図３は、操作ノブ１０が取り付けられていない状態のスイッチ装置１を示す。第一操作棒６１と第二操作棒６２の先端は、半球形をしているが、これに限定されず、力点である操作ノブ１０の下面から力が伝えられる形であればよい。また、第三操作棒６３の先端は、操作ノブ１０の下面の第三操作棒６３と接する部分の形状に沿うように、円筒の側面の形状をなす。ただし、この形状に限定されず、力点である接する部分から力が伝えられる形であればよい。
【００３０】
ケース５０は、第三操作棒６３を囲むように形成され、側面に支軸２０を備える。この支軸２０は、操作ノブ１０の揺動の中心軸となる。ケース５０の中、第三操作棒６３の下方に第三押しボタンスイッチ４３が示されている。
【００３１】
図４は、操作ノブ１０の下面を示す。中央部に第三力点Ｐ３となる第三操作棒６３と接する部分、両端部に第一力点Ｐ１と第二力点Ｐ２となる第一操作棒６１と第二操作棒６２と接する部分が形成されている。なお、本実施例では、それぞれ接する部分が２つずつ設けられているが、これは左右のドアに汎用的に用いられるものとして形成されたものなので、それぞれ接する部分は１つずつであってもよい。
【００３２】
図５は、スイッチ装置１の動作を説明するための断面図である。（Ａ）はマニュアルアップ、（Ｂ）はオートアップ、（Ｃ）はマニュアルダウン、（Ｄ）はオートダウンを示す。（Ａ）と（Ｂ）では、操作ノブ１０は、側面視で左側（車両の進行方向と反対側）に傾き、パワーウィンドウを閉める。（Ｃ）と（Ｄ）では、操作ノブ１０は、側面視で右側（車両の進行方向側）に傾き、パワーウィンドウを開く。
【００３３】
（Ａ）では、操作ノブ１０が左側に傾くことにより、第二力点Ｐ２が第二操作棒６２を押し下げ、その結果第二操作棒６２が第二押しボタンスイッチ４２を操作し、第二押しボタンスイッチ４２が導通又は遮断する。この段階では、第三力点Ｐ３も第三操作棒６３を少し押し下げるが、第三押しボタンスイッチ４３を導通又は遮断するには至っていない。ここで、利用者が操作ノブ１０から手を離すと、パワーウィンドウの閉動作は停止する。
【００３４】
（Ｂ）では、操作ノブ１０がさらに左側に傾くことにより、第二押しボタンスイッチ４２の状態は維持されると共に、第三力点Ｐ３もさらに第三操作棒６３を押し下げ、その結果第三操作棒６３が第三押しボタンスイッチ４３を操作し、第三押しボタンスイッチ４３が導通又は遮断する。この段階で、第二押しボタンスイッチ４２と第三押しボタンスイッチ４３とが同時に導通又は遮断されることにより、２段階の操作が可能となる。ここで、利用者が操作ノブ１０から手を離しても、パワーウィンドウの閉動作は停止しない。
【００３５】
（Ｃ）では、操作ノブ１０が右側に傾くことにより、第一力点Ｐ１が第一操作棒６１を押し下げ、その結果第一操作棒６１が第一押しボタンスイッチ４１を操作し、第一押しボタンスイッチ４１が導通又は遮断する。この段階では、第三力点Ｐ３も第三操作棒６３を少し押し下げるが、第三押しボタンスイッチ４３を導通又は遮断するには至っていない。ここで、利用者が操作ノブ１０から手を離すと、パワーウィンドウの開動作は停止する。
【００３６】
（Ｄ）では、操作ノブ１０がさらに右側に傾くことにより、第一押しボタンスイッチ４１の状態は維持されると共に、第三力点Ｐ３もさらに第三操作棒６３を押し下げ、その結果第三操作棒６３が第三押しボタンスイッチ４３を操作し、第三押しボタンスイッチ４３が導通又は遮断する。この段階で、第一押しボタンスイッチ４１と第三押しボタンスイッチ４３とが同時に導通又は遮断されることにより、２段階の操作が可能となる。ここで、利用者が操作ノブ１０から手を離しても、パワーウィンドウの開動作は停止しない。
【００３７】
図６は、スイッチ装置１を示す斜視図であり、（Ａ）は全体を示し、（Ｂ）は操作ノブ１０を取り除いた状態を示し、（Ｃ）はケース５０の側面を取り除いた状態を示し、（Ｄ）は操作棒（６１、６２、６３）を取り除いた状態を示す。操作ノブ１０は、ケース５０に備えられた支軸２０により揺動可能に支持される。操作ノブ１０の下には、第一操作棒６１、第二操作棒６２、第三操作棒６３を備え、それぞれの操作棒はケース５０の各部分により摺動自在に支持される。
【００３８】
第一操作棒６１、第二操作棒６２、第三操作棒６３のそれぞれの下には基板３０上に第一押しボタンスイッチ４１、第二押しボタンスイッチ４２、第三押しボタンスイッチ４３が備えられている。各押しボタンスイッチが操作されると、基板上の回路が導通し又は遮断される。
【００３９】
（第二実施例）
図７は、本実施例におけるスイッチ装置１Ａの動作を示す説明図である。（Ａ）は中立状態を示す図であり、（Ｂ）は１段階目が導通する状態を示す図であり、（Ｃ）は２段階目が導通する状態を示す図であり、（Ｄ）は操作棒と操作ノブの下面とが接する部分の拡大図である。なお、図７には、本来は見えない支軸２０Ａと、支軸２０Ａを含み基板３０Ａに垂直な仮想的な面Ｓを、説明のために示している。
【００４０】
スイッチ装置１Ａは、車両の利用者がパワーウィンドウを操作する際に使用する操作ノブ１０Ａと、操作ノブ１０Ａを揺動できるように支持する支軸２０Ａと、支軸２０Ａを備えたケース５０Ａ（図示せず）と、支軸２０Ａにおよそ平行であって回路が形成された基盤３０Ａとを有している。操作ノブ１０Ａは、支軸２０Ａに支持され、支軸２０Ａを中心にして左右に揺動する。なお、本図では、操作ノブ１０Ａは、左側に傾く場合についてのみ説明するが、右側に傾く場合も同様である。
【００４１】
（Ａ）は、利用者が操作ノブ１０Ａを操作していない状態、所謂、中立状態にある操作ノブ１０Ａを示す。基板３０Ａ上に３つの押しボタンスイッチ４１Ａ、４２Ａ、４３Ａが、備えられる。押しボタンスイッチ４３Ａは、支軸２０Ａの下方辺り、面Ｓと交わるように設けられている。押しボタンスイッチ４１Ａと４２Ａは、押しボタンスイッチ４３Ａを挟んで、操作ノブ１０Ａの両端の下方辺りに設けられている。
【００４２】
３つの押しボタンスイッチ４１Ａ、４２Ａ、４３Ａの上には、それぞれ操作棒６１Ａ、６２Ａ、６３Ａが設けられる。操作棒６１Ａの上端は操作ノブ１０Ａの力点Ｐ１Ａに当接し、操作棒６２Ａの上端は操作ノブ１０Ａの力点Ｐ２Ａに当接し、操作棒６３Ａの上端は操作ノブ１０Ａの力点Ｐ３１に当接する。この中立状態では、どの力点においても強く力が作用はしておらず、操作棒６１Ａ、６２Ａ、６３Ａは、操作ノブ１０Ａの力点Ｐ１Ａ、Ｐ２Ａ、Ｐ３１で軽く接している状態である。
【００４３】
（Ｂ）は、利用者が、操作ノブ１０Ａを左側に傾倒するように押し込んだ状態を示す。操作ノブ１０Ａは、支軸２０Ａを中心に回転することにより左側に傾倒し、それと共に操作棒６２Ａを押し下げ、操作棒６２Ａは、利用者が押し込んだ力を押しボタンスイッチ４２Ａに伝え、操作棒６２Ａは剛直であるので、利用者が押し込んだ移動距離だけ押しボタンスイッチ４２Ａを押し下げる。この押しボタンスイッチ４２Ａの押し下げにより、押しボタンスイッチ４２Ａが操作され、基板３０Ａの回路を導通又は遮断する。
【００４４】
一方、操作棒６３Ａの上端は、操作ノブ１０Ａの下面と、力点Ｐ３２において当接する。ここで、（Ｄ）を参照し、力点Ｐ３１とＰ３２の関係を説明する。操作ノブ１０Ａの下面の操作棒６３Ａが当接する部分の形状は、側面視において、支軸２０Ａから力点までの距離が、面Ｓに近いほど長く、面Ｓから離れるに従い短くなる形状である。換言すれば、操作棒６３Ａと当接する部分の形状は、操作ノブ１０Ａの揺動の傾きが大きくなるに従い、支軸２０Ａから当接する部分までの距離が短くなる形状である。
【００４５】
即ち、（Ｄ）に示すように、操作ノブ１０Ａが中立状態にある時（（Ａ）の状態）の力点Ｐ３１と支軸２０Ａの距離Ｌ１と、操作ノブ１０Ａが左側に傾倒した時（（Ｂ）の状態）の力点Ｐ３２と支軸２０Ａの距離Ｌ２とは、Ｌ１＞Ｌ２の関係が成り立つ。従って、操作ノブ１０Ａは支軸２０Ａで固定されているので、操作ノブ１０Ａの下面は、操作棒６３Ａを押し下げる。但し、この段階では、操作棒６３Ａの移動距離では、押しボタンスイッチ４３Ａを操作するに至らず、押しボタンスイッチ４３Ａは導通又は遮断することはない。
【００４６】
また、操作棒６１Ａの上端と操作ノブ１０Ａの下面とは、操作ノブ１０Ａが左に傾いたことにより互いに離れており、この段階では、力点Ｐ１Ａは力点としては機能していない。従って、この段階では、押しボタンスイッチ４２Ａのみが導通又は遮断し、１段階目のスイッチとして機能する。
【００４７】
（Ｃ）は、利用者が、操作ノブ１０Ａをさらに左側に傾倒するように押し込んだ状態を示す。操作ノブ１０Ａは、支軸２０Ａを中心に回転することにより左側にさらに傾倒し、それと共に操作棒６２Ａを押し下げ、操作棒６２Ａは、利用者が押し込んだ力を押しボタンスイッチ４２Ａに伝え、操作棒６２Ａは剛直であるので、利用者が押し込んだ移動距離だけ押しボタンスイッチ４２Ａを押し下げる。しかし、押しボタンスイッチ４２Ａは、既に導通又は遮断された状態にあるので、これ以上のスイッチ操作は起こらない。
【００４８】
一方、操作棒６３Ａの上端は、操作ノブ１０Ａの下面と、力点Ｐ３３において当接する。（Ｄ）に示すように、操作ノブ１０Ａが一段左側に傾倒した時（（Ｂ）の状態）の力点Ｐ３２と支軸２０Ａの距離Ｌ２と、操作ノブ１０Ａがさらに左側に傾倒した時（（Ｃ）の状態）の力点Ｐ３３と支軸２０Ａの距離Ｌ３とは、Ｌ２＞Ｌ３の関係が成り立つ。従って、操作ノブ１０Ａは支軸２０Ａで固定されているので、操作ノブ１０Ａの下面は、操作棒６３Ａをさらに押し下げる。操作棒６３Ａは剛直であるので、Ｌ２−Ｌ３の移動距離だけ押しボタンスイッチ４３Ａをさらに押し下げる。この押しボタンスイッチ４３Ａの押し下げにより、押しボタンスイッチ４３Ａが操作され、基板３０Ａの回路を導通又は遮断する。
【００４９】
操作ノブ１０Ａの下面の操作棒６３Ａと当接する部分が、Ｌ１＞Ｌ２＞Ｌ３をなす形状を備えることで、操作ノブ１０Ａの左右の揺動の傾きにより、この当接する部分が操作棒６３Ａを下に押し下げることとなる。その結果、操作棒６３Ａは、押しボタンスイッチ４３の導通・遮断を操作できる。このように、押しボタンスイッチ４２Ａが導通又は遮断する操作ノブ１０Ａの揺動による傾きと、押しボタンスイッチ４３Ａが導通又は遮断する操作ノブ１０Ａの揺動による傾きが異なることにより、スイッチ装置１Ａにおけるスイッチ操作が２段階になることを可能にする。
【００５０】
本実施例の場合は、押しボタンスイッチ４２Ａが導通又は遮断する操作ノブ１０Ａの揺動による傾きは、押しボタンスイッチ４３Ａが導通又は遮断する操作ノブ１０Ａの揺動による傾きに比べ、小さいことを特徴としている。
【００５１】
なお、本発明は、例示した実施例に限定するものではなく、特許請求の範囲の各項に記載された内容から逸脱しない範囲の構成による実施が可能である。
【符号の説明】
【００５２】
１      スイッチ装置
１０    操作ノブ
２０    支軸
３０    基板
４１    第一押しボタンスイッチ
４２    第二押しボタンスイッチ
４３    第三押しボタンスイッチ
５０    ケース
６１    第一操作棒
６２    第二操作棒
６３    第三操作棒
Ｐ１    第一力点
Ｐ２    第二力点
Ｐ３    第三力点
Ｓ      支軸を含み基板に垂直な面
【図１】
2012195057.tif 000003
【図２】
2012195057.tif 000004
【図３】
2012195057.tif 000005
【図４】
2012195057.tif 000006
【図５】
2012195057.tif 000007
【図６】
2012195057.tif 000008
【図７】
2012195057.tif 000009